(57)【要約】【課題】配管の径に関係なく、リークに対する応急処置が可能なシールボックスを提供する。【解決手段】配管１０のリーク部１７を取り囲むように配管１０を挟持して互いに端面どうしを密着接合する上蓋２と下蓋３からなるボックス本体と、リーク部１７の配管軸方向外側の位置で上蓋２の内面と配管１０の間ならびに下蓋３の内面と配管１０の間に介在されたパッキング６と、ボックス本体から外側に突出した配管１０部分でそのボックス本体を支持するサポート部材７，８，９とを備えたことを特徴とする。【選択図】　図３
2004108489.tif 000002
【特許請求の範囲】
【請求項１】
配管のリーク部を取り囲むように当該配管を挟持して互いに端面どうしを密着接合する上蓋と下蓋からなるボックス本体と、
前記リーク部の配管軸方向外側の位置で上蓋の内面と配管の間ならびに下蓋の内面と配管の間に介在されたパッキングと、
前記ボックス本体から外側に突出した配管部分でそのボックス本体を支持するサポート部材とを備えたことを特徴とする配管リーク応急処置用シールボックス。
【請求項２】
請求項１記載の配管リーク応急処置用シールボックスにおいて、前記サポート部材が、前記配管に対するボックス本体の位置を調整するための位置調整手段を有していることを特徴とする配管リーク応急処置用シールボックス。
【請求項３】
請求項２記載の配管リーク応急処置用シールボックスにおいて、前記位置調整手段を有するサポート部材が、前記配管に掛けるＵ−ボルトと、前記ボックス本体に取り付けられたサポートプレートと、前記Ｕ−ボルトの先端部をサポートプレートに連結するナットとから構成されていることを特徴とする配管リーク応急処置用シールボックス。
【請求項４】
請求項１記載の配管リーク応急処置用シールボックスにおいて、前記上蓋と下蓋の接触面に液体パッキングが介在されていることを特徴とする配管リーク応急処置用シールボックス。
【発明の詳細な説明】
【０００１】
【発明の属する技術分野】
本発明は、発電所用ボイラなどのドレン管や空気抜き配管からの流体リークを防止する装置に係り、特に応急処置用のシールボックスに関する。
【０００２】
【従来の技術】
図１０は、発電所用ボイラの配管例を示す概略図である。図中の２１は再熱器入口管寄せ、２２は高圧タービン、２３は復水器、２４は低温再熱蒸気管、２５は高圧ドレン管、２６は高圧バルブである。
【０００３】
ボイラの運転中に例えば前記高圧ドレン管２５の溶接部などに亀裂が生じて内部流体がリークした場合、リーク部補修のためにボイラの運転を停止する必要がある。このボイラの運転停止を避けるため、図７ないし図９に示すような応急処置用シールボックスが用いられている。
【０００４】
図７は応急処置用シールボックスを配管リーク部に取り付けた状態を示す平面図、図８はその状態を示す側面図、図９は図７Ｃ−Ｃ線上の断面図である。
【０００５】
図中の１は応急処置用シールボックス、２はボックス本体を構成する上蓋、３はボックス本体を構成する下蓋、４は上蓋２と下蓋３を連結する複数本のボルト、５はナット、６はパッキング、１０は配管、１１は上蓋２と下蓋３の金属接触面、１２は空気抜きプラグ、１３はドレン抜きプラグ、１４は取手、１５はボルト穴、１６はリーマボルト穴、１７は配管１０に生じたリーク部である。
【０００６】
応急処置用シールボックス１の大きさは、対象配管１０の管径や運転中の流体圧力などによって異なり、その条件によりシールボックス１の質量も異なっており、またこのシールボックス１には、ボックスの質量を支える装置がない。
【０００７】
さらに配管１０との接触部は配管１０の製作公差を考慮して配管外径よりも大きく作られているため隙間が形成され、その隙間部はパッキング６の弾性のみでシールする構造になっている。シール効果を増すためには、パッキング挿入部の隙間を一定に保持する必要がある。そのパッキング６を挿入する部分のシールボックス１と配管１０との隙間を一定に保持してシール効果を増すためには、シールボックス１の質量を軽くして、パッキング６の弾性がシールボックス１の質量より優るようにするか、ボックス配管貫通部の加工径と配管１０の外径の差を小さくして、パッキング６の弾性を増加させる必要があり、対象配管サイズに限界があった。
【０００８】
なお、パッキング６は、通常リング状のものを使用している。配管１０にパッキング６を装着する場合、パッキング６の１個所を切断し、配管１０に密着させて前記切断部を接着剤で接続する。このことにより、切れ目のない配管１０に密着したパッキング６となる。
【０００９】
また、配管１０の外径が大きく、リング状パッキング６の入手が困難な場合、紐状のパッキングを使用することもあり、リング状パッキング６と同じ要領で取り付けられる。
【００１０】
【発明が解決しようとする課題】
この従来技術では、軽質量のシールボックスしか適用できなく、対象配管サイズが小口径管に限定され、サイズの大きい配管の場合には応急処置ができないという欠点がある。
【００１１】
本発明の目的は、前述のような従来技術の欠点を解消し、配管の径に関係なく、リークに対する応急処置が可能なシールボックスを提供することにある。
【００１２】
【課題を解決するための手段】
前記目的を達成するため本発明の第１の手段は、配管のリーク部を取り囲むように当該配管を挟持して互いに端面どうしを密着接合する上蓋と下蓋からなるボックス本体と、前記リーク部の配管軸方向外側の位置で上蓋の内面と配管の間ならびに下蓋の内面と配管の間に介在されたパッキングと、前記ボックス本体から外側に突出した配管部分でそのボックス本体を支持するサポート部材とを備えたことを特徴とするものである。
【００１３】
本発明の第２の手段は前記第１の手段において、前記サポート部材が、前記配管に対するボックス本体の位置を調整するための位置調整手段を有していることを特徴とするものである。
【００１４】
本発明の第３の手段は前記第２の手段において、前記位置調整手段を有するサポート部材が、前記配管に掛けるＵ−ボルトと、前記ボックス本体に取り付けられたサポートプレートと、前記Ｕ−ボルトの先端部をサポートプレートに連結するナットとから構成されていることを特徴とするものである。
【００１５】
本発明の第４の手段は前記第１の手段において、前記上蓋と下蓋の接触面に液体パッキングが介在されていることを特徴とするものである。
【００１６】
【発明の実施の形態】
本発明の実施形態を図とともに説明する。図１ないし図３は第１実施形態を説明するための図で、図１は応急処置用シールボックスを配管リーク部に取り付けた状態を示す平面図、図２はその状態を示す側面図、図３は図１Ａ−Ａ線上の断面図である。
【００１７】
図中の１は応急処置用シールボックス、２はシールボックス本体を構成する上蓋、３はシールボックス本体を構成する下蓋、４は上蓋２と下蓋３を連結する複数本のボルト、５はナット、６はゴムあるいは軟質合成樹脂などからなるリング状または紐状のパッキング、７はサポートプレート、８はＵ−ボルト、９はナット、１０は配管、１１は上蓋２と下蓋３の端面の金属接触面、１２は空気抜きプラグ、１３はドレン抜きプラグ、１４は取手、１５はボルト穴、１６はリーマボルト穴、１７は配管１０に生じたリーク部である。
【００１８】
応急処置用シールボックス１は、上蓋２、下蓋３、上蓋２と下蓋３を連結するボルト４とナット５、ボックス本体（上蓋２と下蓋３）と配管１０との接触部をシールするパッキング６、シールボックス１の支持と位置調整するためのサポートプレート７，Ｕ−ボルト８ならびにナット９、シールボックス１内に溜まった空気ならびにドレンを抜く空気抜きプラグ１２とドレン抜きプラグ１３、シールボックス１を持ち運ぶための取手１４、シールボックス１の組み立てを正確にするために対角線上に設けたリーマボルト穴１６などから構成されている。
【００１９】
ボイラのドレン管（中径管）などの溶接部に亀裂が入り、配管リークに至った場合、応急処置用のシールボックス１をリーク部に設置することにより、ボイラの運転を停止することなく一定期間連続運転することができる。
【００２０】
そのシール手順は、上蓋２と下蓋３の端面である金属接触面１１にシール効果を増加させる目的で液状パッキング（図示せず）を塗布し、図２に示すようにリーク部１７の配管軸方向外側の位置で上蓋２の内面と配管１０の間ならびに下蓋３の内面と配管１０の間にパッキング６を介在して、ボルト４とナット５により上蓋２と下蓋３を締め付ける。この締め付けにより、リーク部１７を取り囲むように配管１０を挟持して互いに上蓋２と下蓋３の端面どうし（金属接触面１１）を密着接合することができる。
【００２１】
また、配管貫通部は、配管１０の製作公差を考慮して実際の配管外径より大きく製作されているので、金属面での面接触とはならず、パッキング６の弾性によるシール構造となる。この場合配管貫通部は、配管外径より大きく製作されているので隙間が形成され、シールボックス１の質量（重量）により下方向に力が作用してパッキング６が潰れ、配管１０の上部側は上蓋２が配管１０に近づき、配管１０の下部側は下蓋３が配管１０から離れることになる。このことは、本来の目的である均一なシール効果が半減することになり、シールボックス１からのリークが発生し、目的を達成することができなくなる。
【００２２】
そのため本発明では、シールボックス１の両側の配管１０に肩掛けしたＵ−ボルト８と下蓋３の下面に当接して取り付けたサポートプレート７とをナット９で連結して（図３参照）、シールボックス１の質量（重量）をサポートプレート７，Ｕ−ボルト８ならびにナット９で支えることにより、前述のパッキング６の変形を防止する。
【００２３】
またナット９の回転（締め付け具合）によりシールボックス１と配管１０の位置関係（隙間）を調整して、配管貫通部におけるシールボックス１と配管１０の隙間を均一に保つことができる。そのためパッキング６の弾性が均一に作用し、シール効果によりリーク部１７からの流体リークを防止することができる。
【００２４】
図４ないし図６は第２実施形態を説明するための図で、図４は応急処置用シールボックスを配管リーク部に取り付けた状態を示す平面図、図５はその状態を示す側面図、図６は図４Ｂ−Ｂ線上の断面図である。
【００２５】
本実施形態で前記第１の実施形態と相違する点は、サポートプレート７を下蓋３に直接溶接で取り付けた点である。
【００２６】
【発明の効果】
本発明は前述のように、配管を利用して支持するサポート部材を応急処置用シールボックスに設けたから、応急処置用シールボックスの質量によるパッキングの変形が防止でき、そのために配管の径に関係なく、リークに対する応急処置が可能なシールボックスを提供することができる。
【図面の簡単な説明】
【図１】本発明の第１実施形態に係る応急処置用シールボックスを配管リーク部に取り付けた状態を示す平面図である。
【図２】その応急処置用シールボックスを配管リーク部に取り付けた状態を示す側面図である。
【図３】図１Ａ−Ａ線上の断面図である。
【図４】本発明の第２実施形態に係る応急処置用シールボックスを配管リーク部に取り付けた状態を示す平面図である。
【図５】その応急処置用シールボックスを配管リーク部に取り付けた状態を示す側面図である。
【図６】図４Ｂ−Ｂ線上の断面図である。
【図７】従来の応急処置用シールボックスを配管リーク部に取り付けた状態を示す平面図である。
【図８】その応急処置用シールボックスを配管リーク部に取り付けた状態を示す側面図である。
【図９】図７Ｃ−Ｃ線上の断面図である。
【図１０】発電所用ボイラの配管例を示す概略図である。
【符号の説明】
１：応急処置用シールボックス、２：上蓋、３：下蓋、４：ボルト、５：ナット、６：パッキング、７：サポートプレート、８：Ｕ−ボルト、９：ナット、１０：配管、１１：金属接触面、１２：空気抜きプラグ、１３：ドレン抜きプラグ、１４：取手、１５：ボルト穴、１６：リーマボルト穴、１７：リーク部、２１：再熱器入口管寄せ、２２：高圧タービン、２３：復水器、２４：低温再熱蒸気管、２５：高圧ドレン管、２６：高圧バルブ
【図１】
2004108489.tif 000003
【図２】
2004108489.tif 000004
【図３】
2004108489.tif 000005
【図４】
2004108489.tif 000006
【図５】
2004108489.tif 000007
【図６】
2004108489.tif 000008
【図７】
2004108489.tif 000009
【図８】
2004108489.tif 000010
【図９】
2004108489.tif 000011
【図１０】
2004108489.tif 000012